(57)【要約】【課題】複数の作品からなる個展を、テンプレートに規定されている多彩な表現形式で閲覧させることができる作品閲覧システムを提供する。【解決手段】本発明に係る作品閲覧１システムでは、閲覧者によって閲覧を希望する個展の個展ＩＤが指定されると、当該個展に関連付けられたテンプレートの作品読出機能が、当該個展の個展ファイルに指し示されている作品画像を作品データベースＤＢ１から読み出し、読み出した作品画像を当該テンプレートに規定されている表現形式にしたがって表示する個展ページが作成される。また、テンプレートはＦＬＡＳＨであることを特徴とする。【選択図】図１
2011039771.tif 000002
【特許請求の範囲】
【請求項１】
作品提供者が、予め登録しておいた自己の複数の作品の中から選択した少なくとも１つの作品の群を個展として登録し、当該個展を、予め登録されている複数のテンプレートの中から選択したテンプレートに規定されている表現形式で閲覧者に閲覧させることができる作品閲覧システムであって、
サーバと、前記サーバにネットワークを介して接続された前記作品提供者の端末および少なくとも１つの前記閲覧者の端末とを備え、
前記サーバは、
前記作品提供者の端末から送られてきた、登録すべき作品の作品画像を格納する作品データベースと、
前記作品提供者の端末において、前記作品データベースに格納されている作品画像の中から新たな個展に含めることとする少なくとも１つの作品の作品画像が選択されると、当該作品画像を指し示す個展ファイルを個展毎に生成するとともに、当該新たな個展に固有の個展ＩＤを割り当てる個展ファイル生成部と、
前記個展ファイルに指し示されている作品画像を前記作品データベースから読み出す作品読出機能を備えた複数のテンプレートを、固有のテンプレートＩＤとともに格納するテンプレートデータベースと、
前記作品提供者の端末において、前記新たな個展の表現形式として前記テンプレートデータベースに格納されている複数のテンプレートの中から１つのテンプレートが選択されると、前記新たな個展の個展ＩＤと選択されたテンプレートのテンプレートＩＤとを関連付けて格納する個展データベースと、
前記閲覧者の端末において、閲覧を希望する個展の個展ＩＤが指定されると、前記個展データベースを参照して指定された個展ＩＤに関連付けられたテンプレートＩＤを特定し、当該テンプレートＩＤを有するテンプレートを前記テンプレートデータベースから読み出すテンプレート読出部と、
読み出されたテンプレートの前記作品読出機能が、前記指定された個展ＩＤを有する個展の個展ファイルに指し示されている作品画像を読み出すと、当該読み出されたテンプレートに規定されている表現形式にしたがって当該読み出された作品画像を表示する個展ページを生成し、当該個展ページを前記閲覧者の端末に表示させる個展ページ生成部と、
を備え、前記テンプレートはＦＬＡＳＨであることを特徴とする作品閲覧システム。
【請求項２】
前記サーバにネットワークを介して接続された、前記テンプレートを作成するテンプレート作成者の端末をさらに備え、
前記テンプレートデータベースに格納されているテンプレートは、前記テンプレート作成者が予め登録したものであることを特徴とする請求項１に記載の作品閲覧システム。
【請求項３】
前記作品読出機能は、前記テンプレートに組み込まれているライブラリによって実現されていることを特徴とする請求項１または２に記載の作品閲覧システム。
【発明の詳細な説明】
【技術分野】
【０００１】
本発明は、作品提供者が、予め登録しておいた自己の複数の作品の群を個展として登録し、当該個展を、テンプレートに規定されている表現形式で閲覧者に閲覧させることができる作品閲覧システムに関する。
【背景技術】
【０００２】
インターネットの普及に伴い、自ら撮影した写真等（以下、単に“作品”という）をネットワークを介して広く第三者に公開することが、個人（以下、“作品提供者”という）であっても容易に行えるようになってきている。
【０００３】
また、近年では、スタイルシートと呼ばれるテンプレートを提供することにより、作品提供者がより容易に作品の公開を行えるようにするサービスも提供されている。かかるサービスにおいては、テンプレートを選択し、作品の画像をアップロードするだけで、簡単に見栄え良く自己の作品を公開することができる（例えば、非特許文献１参照）。
【先行技術文献】
【非特許文献】
【０００４】
【非特許文献１】『ｇｏｏブログ』のブログテンプレート選択ページ，インターネット，＜URL：http://blog.goo.ne.jp/portal/template_list/＞、２００９年８月１１日現在
【発明の概要】
【発明が解決しようとする課題】
【０００５】
しかしながら、ＨＴＭＬベースの従来のテンプレートでは、作品の背景となる模様や、作品とともに表示する文字の色、大きさ等しか規定することができない。このため、自己の作品の見せ方にこだわりがある芸術家肌の作品提供者は、従来のテンプレートでは満足できず、もっと多彩な表現形式で自己の作品を公開したいと思う場合があった。
【０００６】
本発明は上記事情に鑑みてなされたものであり、その課題とするところは、作品提供者が、予め登録しておいた自己の複数の作品からなる個展を、テンプレートに規定されている多彩な表現形式で閲覧者に閲覧させることができる作品閲覧システムを提供することにある。
【課題を解決するための手段】
【０００７】
上記課題を解決するために、本発明に係る作品閲覧システムは、
作品提供者が、予め登録しておいた自己の複数の作品の中から選択した少なくとも１つの作品の群を個展として登録し、当該個展を、予め登録されている複数のテンプレートの中から選択したテンプレートに規定されている表現形式で閲覧者に閲覧させることができる作品閲覧システムであって、
サーバと、前記サーバにネットワークを介して接続された前記作品提供者の端末および少なくとも１つの前記閲覧者の端末とを備え、
前記サーバは、前記作品提供者の端末から送られてきた、登録すべき作品の作品画像を格納する作品データベースと、前記作品提供者の端末において、前記作品データベースに格納されている作品画像の中から新たな個展に含めることとする少なくとも１つの作品の作品画像が選択されると、当該作品画像を指し示す個展ファイルを個展毎に生成するとともに、当該新たな個展に固有の個展ＩＤを割り当てる個展ファイル生成部と、前記個展ファイルに指し示されている作品画像を前記作品データベースから読み出す作品読出機能を備えた複数のテンプレートを、固有のテンプレートＩＤとともに格納するテンプレートデータベースと、前記作品提供者の端末において、前記新たな個展の表現形式として前記テンプレートデータベースに格納されている複数のテンプレートの中から１つのテンプレートが選択されると、前記新たな個展の個展ＩＤと選択されたテンプレートのテンプレートＩＤとを関連付けて格納する個展データベースと、前記閲覧者の端末において、閲覧を希望する個展の個展ＩＤが指定されると、前記個展データベースを参照して指定された個展ＩＤに関連付けられたテンプレートＩＤを特定し、当該テンプレートＩＤを有するテンプレートを前記テンプレートデータベースから読み出すテンプレート読出部と、読み出されたテンプレートの前記作品読出機能が、前記指定された個展ＩＤを有する個展の個展ファイルに指し示されている作品画像を読み出すと、当該読み出されたテンプレートに規定されている表現形式にしたがって当該読み出された作品画像を表示する個展ページを生成し、当該個展ページを前記閲覧者の端末に表示させる個展ページ生成部とを備え、前記テンプレートはＦＬＡＳＨであることを特徴とする。
【０００８】
好ましくは、上記作品閲覧システムは、前記サーバにネットワークを介して接続された、前記テンプレートを作成するテンプレート作成者の端末をさらに備え、前記テンプレートデータベースに格納されているテンプレートは、前記テンプレート作成者が予め登録したものである。
【０００９】
また、上記作品閲覧システムにおける前記作品読出機能は、前記テンプレートに組み込まれているライブラリによって実現することができる。
【発明の効果】
【００１０】
本発明によれば、作品提供者が、予め登録しておいた自己の複数の作品からなる個展を、テンプレートに規定されている多彩な表現形式で閲覧者に閲覧させることができる作品閲覧システムを提供することができる。
【００１１】
より詳しくは、本発明に係る作品閲覧システムでは、ＦＬＡＳＨベースのテンプレートを使用しているので、例えば、閲覧者のマウス操作に伴って動画的に作品を表示させたり、音楽を同期再生させたりする等の多彩な表現形式で作品を閲覧させることができる。
【００１２】
また、通常、ＦＬＡＳＨを作成するためにはスクリプトに関する専門知識が必要となるが、本発明に係る作品閲覧システムでは、ＦＬＡＳＨベースのテンプレートが予め複数登録されているので、テンプレートと閲覧させたい作品とを選択するだけで、自己の作品（個展）を多彩な表現形式で簡単に閲覧させることができる。すなわち、本発明に係る作品閲覧システムでは、作品提供者がスクリプトに関する専門知識を有している必要はない。
【図面の簡単な説明】
【００１３】
【図１】本発明に係る作品閲覧システムのブロック図である。
【図２】本発明に係る作品閲覧システムで生成される個展ファイルの一例である。
【図３】自己の作品を登録する際に作品提供者の端末に表示される画面である。
【図４】自己の作品を登録する際に作品提供者の端末に表示される画面である。
【図５】自己の作品を登録する際に作品提供者の端末に表示される画面である。
【図６】自己の作品からなる個展を登録する際に作品提供者の端末に表示される画面である。
【図７】自己の作品からなる個展を登録する際に作品提供者の端末に表示される画面である。
【図８】自己の個展の表現形式を規定するテンプレートを決定する際に作品提供者の端末に表示される画面である。
【図９】閲覧者の端末に表示される画面である。
【発明を実施するための形態】
【００１４】
以下、添付図面を参照して、本発明に係る作品閲覧システムの好ましい実施形態について説明する。
【００１５】
図１は、本発明に係る作品閲覧システムのブロック図である。同図に示すように、作品閲覧システム１は、サーバ２と、サーバ２にネットワークＮＴを介して接続された複数の作品提供者端末Ｔ１ａ、Ｔ１ｂ・・・、閲覧者端末Ｔ２ａ、Ｔ２ｂ・・・、およびテンプレート作成者端末Ｔ３ａ、Ｔ３ｂ・・・とを備える。サーバ２と各端末とは、相互にデータの送受信を行うことができる。後述するが、テンプレート作成者端末（例えば、Ｔ３ａ）は、サーバ２に直接接続されていてもよい。また、サーバ２自体がテンプレート作成者端末Ｔ３ａの機能を併せもっていてもよい。
【００１６】
サーバ２は、送受信部３と、個展ファイル生成部４と、テンプレート読出部５と、個展ページ生成部６と、３つのデータベースＤＢ１、ＤＢ２、ＤＢ３とを備えている。また、サーバ２内には、生成された個展ファイルも格納されている。
【００１７】
作品データベースＤＢ１は、作品提供者が作品の登録を行う際に、当該作品提供者の端末（例えば、Ｔ１ａ）から送受信部３を通って送られてくる当該作品の画像（以下、作品画像）を格納している。
【００１８】
個展ファイル生成部４は、作品提供者が新たな個展の登録を行うと、当該新たな個展に関する個展ファイルを生成するとともに、当該新たな個展に固有の個展ＩＤを割り当てる。個展の登録は、作品データベースＤＢ１に格納されている作品の作品画像の中から、作品提供者が、新たな個展に含めることとする少なくとも１つの作品の作品画像を選択することによって行われる。
【００１９】
個展ファイル生成部４は、例えば、図２に示すような個展ファイルを生成する。同図に示すように、個展ファイルは、タグでくくられた領域に必要な情報を追加的に記述していくことができるＸＭＬ形式を有し、作品提供者が端末Ｔ１ａを介して入力した当該新たな個展に関する様々な情報が記述されている。
【００２０】
例えば、最上位階層のｎａｍｅタグでくくられた領域には、当該個展の個展名が記述され、ａｒｔｉｓｔＮａｍｅタグ領域には、当該個展を登録した作品提供者の氏名等が記述されている。また、最上位階層にあるｗｏｒｋタグ領域には、さらに当該個展に含まれる作品の数だけｗｏｒｋタグ領域が設けられている。そして、各作品のｗｏｒｋタグ領域には、作品名を記述するためのｎａｍｅタグ領域、当該作品の作品画像の所在を記述するための少なくとも１つのｉｍａｇｅｓタグ領域等が設けられている。ｉｍａｇｅｓタグ領域を参照すれば、当該個展に含まれる作品の作品画像が作品データベースＤＢ１のどこに格納されているのかを特定することができる。
【００２１】
ｉｍａｇｅｓタグ領域に複数のｐａｔｈタグ領域が設けられているのは、作品データベースＤＢ１中に大きさの異なる複数の作品画像が格納されている場合に、これらの全ての画像の所在を特定可能にするためである。また、作品データベースＤＢ１中に当該作品を別の角度から見た複数の作品画像が格納されている場合は、ｉｍａｇｅｓタグ領域を複数設ければよい。図２に示す一例では、大きさの違う４つの作品画像の所在が記述されている。
【００２２】
図２に示すように、個展ファイルには、個展に関するコメント、作品に関するコメント等も記述することができる。
【００２３】
個展ファイルは、新たな個展が登録される度に生成される。また、個展に含める作品を別の作品に変更する等、一旦登録した個展の内容が変更されると、個展ファイルの内容も同様に変更される。すなわち、個展ファイルを参照すれば、常に個展に関する最新の情報を得ることができる。
【００２４】
再び図１を参照して、テンプレートデータベースＤＢ２は、テンプレート作成者が作成および登録したテンプレートを固有のテンプレートＩＤとともに格納している。テンプレート作成者が、自己の端末（例えば、Ｔ３ａ）でテンプレートの登録を行うと、テンプレートは送受信部３を通ってテンプレートデータベースＤＢ２に送られ、格納される。
【００２５】
テンプレートには、個展ファイルに指し示されている作品画像を読み出すための作品読出機能が備えられている。より詳しくは、テンプレートは、個展ファイルのｉｍａｇｅｓタグ領域に所在が記述されている作品画像を作品データベースＤＢ１から読み出す機能を備えている。この機能は、例えば、テンプレートに組み込まれた“ライブラリ”が作品データベースＤＢ１にアクセスすることによって実現されている。
【００２６】
また、本発明において、テンプレートはＦＬＡＳＨである。このため、作品提供者は、閲覧者のマウス操作に伴って作品を動画的に表示させたり、音楽を同期再生させたりする等の多彩な表現形式で自己の作品（個展）を閲覧させることができる。ＦＬＡＳＨベースのテンプレートは、例えば、市販の「Adobe Flash CS4 Professional」（Adobe社）、「frimo3」（AHS社）等のソフトウェアを使って作成することができる。
【００２７】
個展データベースＤＢ３は、登録された個展の個展ＩＤと当該個展の表現形式として選択されたテンプレートのテンプレートＩＤとを関連付けて格納している。かかる関連付けは、作品提供者が、テンプレートデータベースＤＢ２に格納されているテンプレートの中から、自己の個展の表現形式として１つのテンプレートを選択することにより行われる。
【００２８】
テンプレート読出部５は、個展データベースＤＢ３を参照して、指定された個展ＩＤに関連付けられたテンプレートＩＤを特定する。この動作は、閲覧者が自己の端末（例えば、Ｔ２ａ）で閲覧を希望する個展の個展ＩＤを指定した際に行われる。テンプレートＩＤが特定されると、テンプレート読出部５は、そのテンプレートＩＤを有するテンプレートをテンプレートデータベースＤＢ２から読み出す。閲覧者による個展ＩＤの指定は、例えば、インターネットブラウザに入力するＵＲＬに特定の文字列を含めることにより行われる。
【００２９】
読み出されたテンプレートの作品読出機能（ライブラリ）は、指定された個展ＩＤを有する個展の個展ファイルを参照して、当該個展ファイルのｉｍａｇｅｓタグ領域に所在が記述されている作品画像を作品データベースＤＢ１から読み出す。大きさや見る角度が異なる複数の作品画像の所在が記述されている場合、作品読出機能は、複数の作品画像を作品データベースＤＢ１から読み出す。この他、作品読出機能は、任意のタイミングで個展ファイルに記述されている各種情報（個展名、作品名、コメント等）を読み出すこともできる。
【００３０】
個展ページ生成部６は、読み出されたテンプレートに規定されている表現形式にしたがって、作品読出機能によって読み出された作品画像、個展名、作品名、コメント等を表示する個展ページを生成する。生成された個展ページに関するデータは、送受信部３を介して閲覧を希望した閲覧者の端末Ｔ２ａに送られる。これにより、閲覧者の端末Ｔ２ａに個展ページが表示される。
【００３１】
続いて、作品および個展を登録する際に作品提供者の端末（例えば、Ｔ１ａ）に表示される画面、および個展を閲覧している閲覧者の端末（例えば、Ｔ２ａ）に表示される画面の具体例について、図３〜図９を参照しながら説明する。
【００３２】
図３（Ａ）に示す画面Ｐ１−１は、作品を登録する際に、作品提供者の端末Ｔ１ａに最初に表示される画面である。この画面１−１において、作品提供者は新たに登録する作品の作品名等を入力する。その後、作品提供者は、「選択」ボタンをクリックした後に順次される画面Ｐ１−２〜４（図３（Ｂ）、図４）にしたがい、登録したい作品の画像をアップロード等する。
【００３３】
作品画像のアップロード等が完了すると、作品提供者の端末Ｔ１ａには図５に示す画面Ｐ１−５、６が表示される。作品提供者は、コメント等を入力した後に「入力確認」ボタンをクリックする。これにより、作品画像は作品データベースＤＢ１に格納される。作品データベースＤＢ１には、入力した作品名やコメント等も一緒に格納される。
【００３４】
図６（Ａ）に示す画面Ｐ２−１は、個展を登録する際に、作品提供者の端末Ｔ１ａに最初に表示される画面である。この画面２−１において、作品提供者は新たに登録する個展の個展名（個展Ａ）等を入力する。その後、作品提供者は、「選択」ボタンをクリックした後に順次される画面Ｐ２−２、３（図６（Ｂ）、図７（Ａ））にしたがい、既に登録している自己の作品の中から、当該個展に含めることとする作品を選択する。画面Ｐ２−２の登録済作品エリアには、作品データベースＤＢ１に格納されている自己の作品の作品画像が表示される。
【００３５】
作品の選択が完了すると、作品提供者の端末Ｔ１ａには図７（Ｂ）に示す画面Ｐ２−４が表示される。作品提供者は、コメント等を入力した後に「入力確認」ボタンをクリックする。これにより、個展ファイル生成部４は個展ファイルを生成する。画面Ｐ２−４に示すように、個展Ａには、２つの作品（作品Ａ、作品Ｂ）が含まれているので、生成された個展ファイルには２つのｗｏｒｋタグ領域が存在することとなる。
【００３６】
図８（Ａ）に示す画面Ｐ３−１は、登録した自己の個展を一覧できる画面である。この画面Ｐ３−１において、作品提供者がいずれか１つの個展（例えば、個展Ａ）を選択して「テンプレート変更」ボタンをクリックすると、作品提供者の端末Ｔ１ａには図８（Ｂ）に示す画面Ｐ３−２が表示される。画面Ｐ３−２のテンプレート一覧エリアには、既にテンプレートデータベースＤＢ２に格納されているテンプレートが表示される。作品提供者が、いずれか１つのテンプレート（例えば、テンプレート１）を選択して「変更」ボタンをクリックすると、個展Ａに固有の個展ＩＤとテンプレート１に固有のテンプレートＩＤが関連付けられて個展データベースＤＢ３に格納される。
【００３７】
図９に示す画面Ｐ４は、閲覧者が個展Ａの個展ＩＤを指定した場合に、閲覧者の端末Ｔ２ａに表示される画面である。画面Ｐ４は、個展ページ生成部６が生成した個展ページである。画面Ｐ４は、作品画像が大きく表示される作品表示エリアと、当該領域に表示されている作品の詳細な情報が表示される情報表示エリアと、当該個展に含まれている作品が縮小表示された作品一覧表示エリアとからなる。閲覧者が、作品表示エリアの右隣に設けられているスライダを動かすと、作品表示エリアの作品画像は拡大／縮小表示される。
【００３８】
以上、本発明に係る作品閲覧システムの好ましい実施形態について説明してきたが、本発明はこれらの構成に限定されるものではない。
【００３９】
例えば、図２に示す個展ファイルに含まれる情報は一例であり、必要に応じて増減させることができる。また、図３〜図８に示した画面も単なる一例であり、別のデザインに変更しても差し支えない。
【００４０】
また、作品提供者および閲覧者の端末はそれぞれ１つ以上であればよく、前記の通り、サーバ２にテンプレート提供者の端末の機能を併せもたせることにより、テンプレート提供者の端末を省略することができる。
【００４１】
また、上記実施例では、テンプレートの作成を容易にするべく作品読出機能がライブラリとして提供されることとしたが、各テンプレート提供者が、独自に作品読出機能を有するプログラム等を作成し、これを自己のテンプレートに組み込むこともできる。
【符号の説明】
【００４２】
１      個展閲覧システム
２      サーバ
３      送受信部
４      個展ファイル生成部
５      テンプレート読出部
６      個展ページ生成部
ＤＢ１    作品データベース
ＤＢ２    テンプレートデータベース
ＤＢ３    個展データベース
【図１】
2011039771.tif 000003
【図２】
2011039771.tif 000004
【図３】
2011039771.tif 000005
【図４】
2011039771.tif 000006
【図５】
2011039771.tif 000007
【図６】
2011039771.tif 000008
【図７】
2011039771.tif 000009
【図８】
2011039771.tif 000010
【図９】
2011039771.tif 000011